(57)【要約】
【課題】　フレキシブルディスクドライブ及びカード読取機を一体に整合する読取整合装置を提供する。
【解決手段】　フレキシブルディスクドライブ３０に薄型フレキシブルディスクドライブを採用し、カード読取機と積み重ねる形態により標準的なフレキシブルディスクドライブ３０のサイズである組み込み用整合装置１０内に組入れる。整合装置１０の挿入側には二列のスロットを設けることができ、そのうちの一スロット２１１はフレキシブルディスクドライブ３０に対応したフレキシブルディスク挿入スロットであり、もう一つの挿入スロットはメモリーカードの挿入に提供される。
【選択図】　図２
0003099794.tif 000002
【実用新案登録請求の範囲】
【請求項１】
　ケース及びケース内に積み重ねて設けられたフレキシブルディスクドライブおよびカード読取機を含む読取整合装置であって、
　前記ケースの前面板にスロットが二列設けられ、そのうち一列のスロットは前記フレキシブルディスクドライブに対応したフレキシブルディスクの挿入スロットであり、もう一列のスロットは前記カード読取機に応用するメモリーカードの挿入スロットに提供され、前記構造により前記カード読取機と前記フレキシブルディスクドライブとがコンピュータに設けられた組込みスペースを共用することを特徴とする読取整合装置。
【請求項２】
　前記前面板の一側面の適当な位置に保持部を設けることを特徴とする請求項１記載の読取整合装置。
【請求項３】
　前記カード読取機に応用する前記スロットに二つのメモリーカード挿入スロットが設けられることを特徴とする請求項１記載の読取整合装置。
【請求項４】
　前記２つのメモリーカード挿入スロットは、それぞれ規格の異なるメモリカードの挿入スロットを提供するものであることを特徴とする請求項３記載の読取整合装置。
【請求項５】
　前記フレキシブルディスクドライブは薄型タイプであることを特徴とする請求項１記載の読取整合装置。
【請求項６】
　前記前面板の頂端の側面に凹部を設けて、前記フレキシブルディスクドライブのディスク・リリースキイを設置することを特徴とする請求項１記載の読取整合装置。
【請求項７】
　前記カバーは二つの側辺板を更に含み、各側辺板の両端の適当な位置に内側に折られた前、後置板が設けられて、側辺板底縁の適当な位置に直立した押さえ片が設けられることを特徴とする請求項１記載の読取整合装置。
【請求項８】
　前記カード読取機の辺縁を保持部へ挿入し、もう一端を押さえ片で押さえるとともに、固定部品により突起部に固定して、ケース内へ固定することを特徴とする請求項１記載の読取整合装置。
【請求項９】
　前記フレキシブルディスクドライブは前記前、後置板上に設置されて固定部品によりケースに固定されることを特徴とする請求項１記載の読取整合装置。
【請求項１０】
　前記後置板の位置には配線回路板が設けられて、前記フレキシブルディスクドライブとコンピュータ主機端とを配線接続して前記フレキシブルディスクドライブの動作時に必要な電源を提供することを特徴とする請求項７記載の読取整合装置。
【請求項１１】
　前記フレキシブルディスクドライブの後側には伝送部が設けられることができて、配線により前記フレキシブルディスクドライブと前記カード読取機とを接続して、前記カード読取機とコンピュータ主機とを接続することにより前記フレキシブルディスクドライブの動作時の電源を提供することを特徴とする請求項１記載の読取整合装置。
【考案の詳細な説明】
【技術分野】
【０００１】
　本考案は、読取整合装置に関し、特に、フレキシブルディスクドライブおよびカード読取機を一体に整合して、直接にコンピュータケースに組入れる構造設計に関する。
【背景技術】
【０００２】
　デジタルカメラ（ＤＳＣ）、デジタル撮影機（ＤＶ）、パーソナルデータアシスタント（ＰＤＡ）、デジタル録音装置などは全てメモリーカードをデータ或いは画像・音声の保存媒体に採用しており、現在広く応用されているメモリーカードは、フラッシュメモリを用いたカード或いはスティックなどの各種の形態、仕様のメモリがある。
　また、現在メモリーカード内のデータをコンピュータへ保存した後にユーザが行う画像処理、保存、再生或いは印刷には次の方式が採用されている。
【０００３】
　１．信号線（例えばＵＳＢ、ＩＥＥＥＥ１３９４など）によりデジタル画像音声装置とコンピュータとを接続して、コンピュータが入力デジタル画像音声装置に付属する駆動プログラムによりデータのアクセスを行う。この方式によるアクセス速度は遅すぎて、特にデジタルカメラを例にとると、要求される高画素および撮影枚数のために大容量のメモリーカード（たとえば５１２Ｍ、１Ｇ又はそれ以上）が必要となり、このように大きな記憶容量をライン接続方式によりデータを取得した場合、速度は非常に遅くなった。
【０００４】
　２．カード読取機による読取り。現在、カード読取機は別にユーザが購入するが、その形態は独立あるいは内蔵方式によりコンピュータ主機と接続されてもよく、ユーザはメモリーカードをコンピュータ本体の記憶装置に見たててデータのアクセスをおこない、カード読取機は高速度でデータを読取る長所及び使用の利便性などといった特性を備えているため、ユーザにとって使用しやすい。しかし、内蔵或いは外付けタイプのカード読取機であっても、空間を占有して取付け取外しが面倒といった欠点が依然あったために、使用上不便であった。
【０００５】
　そして現在、ある製造メーカはカード読取機をプリンターと結合させて、直接にメモリーカード内のデータを印刷することができるため、コンピュータへ接続しなくとも印刷ができる利便性を強調しているが、読取られたデータをコンピュータへ伝送して保存或いは画像処理を行うことはできないために、画像処理の楽しみがへった。
【考案の開示】
【考案が解決しようとする課題】
【０００６】
　したがって、本考案の主な目的は、現在のフレキシブルディスクドライブのケースサイズを変更せずにカード読取機とフレキシブルディスクドライブの両者を一体に整合して、コンピュータケースで予めフレキシブルディスクドライブが設けられていた位置に直接組入れることができるようにして、カード読取機をコンピュータの標準装備として、コンピュータ全体の実用性、機能性及び価値を高めることにある。
【課題を解決するための手段】
【０００７】
　前述のフレキシブルディスクドライブには薄型フレキシブルディスクドライブを採用し、カード読取機と積み重ねる形態により標準的なフレキシブルディスクドライブのサイズである組込みスペース内に組入れる。組込みスペースの挿入側には二列のスロットを設けることができ、そのうちの一スロットはフレキシブルディスクドライブに対応したフレキシブルディスク挿入スロットであり、もう一つのスロットはメモリーカードの挿入に提供される。
【考案の効果】
【０００８】
　本考案の効果は、フレキシブルディスクドライブが元々備えているケース及びコンピュータの設置位置を利用することにより、コンピュータケースへ開口を更に開けてカード読取機の挿入スロットを増設する必要がないため、加工費用を大幅に節約するとともに、多くの組立空間を占用する必要もなく、コンピュータ主機に更に高い拡張能力を備えさせることである。
【考案を実施するための最良の形態】
【０００９】
　図１および図２は、本考案のドライブ組込み装置を示す斜視図および立体分解図である。そのうちドライブ１０のケース２０は次のものを含む。
【００１０】
　前面板２１に二列のスロットを設け、そのうちスロット２１１はフレキシブルディスクドライブ３０に対応したフレキシブルディスクの挿入スロットであり、もう一列には少なくとも１以上のスロットが設けられるが、本実施例においては二つのスロット２１２，２１３を設けて、それぞれに各種の形態メモリカードを挿入する。前面板２１をケース２０の内縁面に組入れて、適当な位置に保持部２１４を設ける。そして、前述の各挿入スロットの下縁に孔２１５を設けて、フレキシブルディスクドライブ３０およびカード読取機４０の表示灯を設置し、フレキシブルディスクドライブ３０の作動状態を表示するのに使用し、カード読取機４０の電源及び動作状態を表示して、前面板２１の頂端の側面に凹部２１６を設ける。
【００１１】
　側辺板２２を対応させて設計し、その両端の適当な位置に内折りの前、後置板２２１，２２２が設けられて、フレキシブルディスクドライブ３０に予め設けられたネジ孔３１の位置に対応させて組立ネジ孔２２３を設け、側辺板２２の底縁で適当な位置に直立した押さえ片２２４を設ける。
【００１２】
　底板２３に、カード読取機４０に対応した位置にネジ孔を備えた突部２３１を設けてカード読取機４０を固定し、カード読取機４０に設けた挿入スロット４１，４２を前面板２１に設けたスロット２１２，２１３に合わせる。
【００１３】
　カード読取機４０をベアボードで組立てて、二つの挿入スロット４１，４２を設けてそれぞれに市販の各種規格のメモリカードを挿入する。図３が示すのはカード読取機の挿入カード及びメモリーカード制御器の回路図である。図中の右上、及び右下にそれぞれ各種の規格のメモリカードに適合する挿入スロット４１，４２を示す。この二つの挿入スロット４１，４２の各信号線をメモリーカード制御器４３へ接続し、メモリーカード制御器４３は二挿入スロット４１，４２により読取られた信号をＵＳＢ信号（当該信号はＩＤＥ、ＩＥＥＥ１３９４或いはＰＣＩ信号へ整合されてもよい）へ整合し、接続ライン４４によりコンピュータ主機５０へ接続する。
【００１４】
　カード読取機４０はベアボードに設けられた挿入スロット４１，４２の端縁を保持部２１４へ入れて、もう一端を押さえ片２２４上へ置いて、底面を突部２３１上へ置いて、カード読取機４０をケース２０内へ安定させて設置すると同時にカード読取機４０の二挿入スロット４１，４２を前面板２１に設けたスロット２１２，２１３へ合わせる。
【００１５】
　フレキシブルディスクドライブ３０をカード読取機４０上に重ねて設けて、その前後端の底面を前、後置板２２１，２２２上へ置いて、フレキシブルディスクドライブ３０のリリースキイ３２を前面板２１に設けられた凹部２１６へ置いて、安定した設置構造を構成する。そして固定部品を組立ネジ孔２２３へ入れてフレキシブルディスクドライブ３０のネジ孔３１へ留めて固定し、フレキシブルディスクドライブ３０をケース２０の位置へ固定すると同時にフレキシブルディスクドライブ３０のフレキシブル挿入スロットを前面板２１のスロット２１１へ合わせる。
【００１６】
　また、後置板２２２に配線ケーブル回路板６０（図２を参照）を設けて、配線ケーブル７０によりフレキシブルディスクドライブ３０とコンピュータ主機５０端部とを接続することによりフレキシブルディスクドライブ３０の動作に必要な電源を提供する。もしＵＳＢフレキシブルディスクドライブを採用する場合には、この配線回路板は省略する。
【００１７】
　他に、本考案はフレキシブルディスクドライブ３０の後側に伝送部３３を設けて、配線ケーブル７０によりフレキシブルディスクドライブ３０とカード読取機４０とを接続し、カード読取機４０とコンピュータ主機５０とを接続することによりフレキシブルディスクドライブ３０へ動作時の電源を提供する。
【００１８】
　フレキシブルディスクドライブ３０とカード読取機４０を整合した後のケース２０は、一般のフレキシブルディスクドライブを組立てる方式により、ケースをコンピュータケース上に結合して、コンピュータ主機５０と一体に結合してもよい。そのため、コンピュータ用ディスクの限られた空間を占用しないと同時にカード読取機４０を標準装備としてコンピュータ主機５０を販売することもできるため、コンピュータ主機５０とフレキシブルディスクドライブ３０の付加価値が高まり、ユーザは更に多くの費用をかけてカード読み込み機能を備えたプリンターを購入する必要がなくなる。
【００１９】
　本考案では好適な実施形態を前述の通り開示したが、これらは決して本考案に限定するものではなく、当該技術を熟知するものなら誰でも、本考案の精神と領域を脱しない範囲内で各種の変動や潤色を加えることができ、従って本考案の保護の範囲は、実用新案登録請求の範囲で指定した内容を基準とする。
【図面の簡単な説明】
【００２０】
【図１】本考案の整合装置を示した斜視図である。
【図２】図１の分解斜視図である。
【図３】カード読取機の挿入カードおよびメモリーカード制御器を示す回路図である。
【図４】整合装置をコンピュータへ組入れた後の斜視図である。
【図５】本考案のもう一つの実施形態を示す図である。
【符号の説明】
【００２１】
　　１０　　整合装置
　　２０　　ケース
　　２１　　前面板
　２１１　　スロット
　２１２　　スロット
　２１３　　スロット
　２１４　　保持部
　２１５　　孔
　２１６　　凹部
　　２２　　側辺板
　２２１　　前置板
　２２２　　後置板
　２２３　　組立ネジ孔
　２２４　　押さえ片
　　２３　　底板
　２３１　　突部
　　３０　　フレキシブルディスクドライブ
　　３１　　ネジ孔
　　３２　　リリースキイ
　　３３　　伝送部
　　４０　　カード読取機
　　４１　　挿入スロット
　　４２　　挿入スロット
　　４３　　メモリーカード制御器
　　４４　　接続ライン
　　５０　　コンピュータ主機
　　６０　　配線ケーブル回路板
　　７０　　配線ケーブル
【図１】
0003099794.tif 000003
【図２】
0003099794.tif 000004
【図３】
0003099794.tif 000005
【図４】
0003099794.tif 000006
【図５】
0003099794.tif 000007